(57)【要約】  ＡＴＳＣ（高品位テレビジョンシステム委員会−デジタルテレビジョン）レシーバは、イコライザ（２２０）とコントローラ（２３０）を有する。イコライザ（２２０）はコンステレーションスペースから一連の受信信号ポイントを提供し、そのコンステレーションスペースは内部領域と１つ以上の外部領域とを有する。コントローラ（２３０）は、イコライザ（２２０）のタップ係数値の補正に使用する係数ゲイン値を提供する。係数ゲイン値は、受信信号ポイントが入るコンステレーションスペースの領域の関数である。
2007537666.tif 000002
【特許請求の範囲】
【請求項１】
受信器において使用する方法であって、  
受信信号ポイントのシーケンスを供給する段階と、  
イコライザのタップ係数値の補正に使用する係数ゲイン値を決定する段階であって、前記係数ゲイン値は前記受信信号ポイントが入るコンステレーションスペースの領域の関数であるところの段階と、を有することを特徴とする方法。
【請求項２】
請求項１に記載の方法であって、前記決定する段階は、  
受信信号ポイントが前記コンステレーションスペースの外側領域または内側領域にあるかどうか判断する段階と、  
前記受信信号ポイントが外側領域にある場合、前記係数ゲイン値を第１のゲイン値に設定する段階と、  
前記受信信号ポイントが内側領域にある場合、前記係数ゲイン値を第２のゲイン値に設定する段階と、を有し、  
前記第１のゲイン値と前記第２のゲイン値は異なることを特徴とする方法。
【請求項３】
請求項２に記載の方法であって、  
前記第２のゲイン値は前記第１のゲイン値より小さいことを特徴とする方法。
【請求項４】
請求項１に記載の方法であって、  
前記コンステレーションスペースはＭ−ＶＳＢ（残留側波帯）シンボルコンステレーションであることを特徴とする方法。
【請求項５】
請求項１に記載の方法であって、  
前記コンステレーションスペースはＭ−ＱＡＭ（直交位相振幅変調）シンボルコンステレーションであることを特徴とする方法。
【請求項６】
請求項１に記載の方法であって、  
前記領域の少なくとも１つは、前記コンステレーションスペースのコーナー領域であることを特徴とする方法。
【請求項７】
受信器において使用する方法であって、  
受信信号ポイントのシーケンスを供給する段階と、  
イコライザのタップ係数値を前記受信信号ポイントが入るコンステレーションスペースの領域の関数として調整する段階と、を有することを特徴とする方法。
【請求項８】
請求項７に記載の方法であって、前記決定する段階は、
受信信号ポイントが前記コンステレーションスペースの外側領域または内側領域にあるかどうか判断する段階と、  
前記受信信号ポイントが外側領域にある場合、係数ゲイン値を第１のゲイン値に設定する段階と、  
前記受信信号ポイントが内側領域にある場合、前記係数ゲイン値を第２のゲイン値に設定する段階と、  
前記タップ係数値を前記係数ゲイン値の関数として調整する段階と、を有し、  
前記第１のゲイン値と前記第２のゲイン値は異なることを特徴とする方法。
【請求項９】
請求項８に記載の方法であって、  
前記第２のゲイン値は前記第１のゲイン値より小さいことを特徴とする方法。
【請求項１０】
請求項７に記載の方法であって、  
前記コンステレーションスペースはＭ−ＶＳＢ（残留側波帯）シンボルコンステレーションであることを特徴とする方法。
【請求項１１】
請求項７に記載の方法であって、  
前記コンステレーションスペースはＭ−ＱＡＭ（直交位相振幅変調）シンボルコンステレーションであることを特徴とする方法。
【請求項１２】
請求項７に記載の方法であって、  
前記領域の少なくとも１つは、前記コンステレーションスペースのコーナー領域であることを特徴とする方法。
【請求項１３】
受信器であって、  
受信信号ポイントのシーケンスを供給する手段と、  
イコライザのタップ係数値の補正に使用する係数ゲイン値を決定する手段であって、前記係数ゲイン値は前記受信信号ポイントが入るコンステレーションスペースの領域の関数であるところの手段と、を有することを特徴とする受信器。
【請求項１４】
請求項１３に記載の受信器であって、  
前記受信信号ポイントが外側領域にある場合、前記決定する手段は前記係数ゲイン値を第１のゲイン値に設定し、  
前記受信信号ポイントが内側領域にある場合、前記決定する手段は前記係数ゲイン値を第２のゲイン値に設定し、  
前記第１のゲイン値と前記第２のゲイン値は異なることを特徴とする受信器。
【請求項１５】
請求項１４に記載の受信器であって、  
前記第２のゲイン値は前記第１のゲイン値より小さいことを特徴とする受信器。
【請求項１６】
請求項１３に記載の受信器であって、  
前記コンステレーションスペースはＭ−ＶＳＢ（残留側波帯）シンボルコンステレーションであることを特徴とする受信器。
【請求項１７】
請求項１３に記載の受信器であって、  
前記コンステレーションスペースはＭ−ＱＡＭ（直交位相振幅変調）シンボルコンステレーションであることを特徴とする受信器。
【請求項１８】
請求項１３に記載の受信器であって、  
前記領域の少なくとも１つは、前記コンステレーションスペースのコーナー領域であることを特徴とする受信器。
【請求項１９】
受信器であって、  
受信信号ポイントのシーケンスを供給するイコライザと、  
コントローラと、を有し、  
前記コントローラは、前記イコライザのタップ係数値の調整に使用する係数ゲイン値を決定し、前記係数ゲイン値は、前記受信信号ポイントが入るコンステレーションスペースの領域の関数であることを特徴とする受信器。
【請求項２０】
請求項１９に記載の受信器であって、  
前記受信信号ポイントが外側領域にある場合、前記コントローラは前記係数ゲイン値を第１のゲイン値に設定し、  
前記受信信号ポイントが内側領域にある場合、前記コントローラは前記係数ゲイン値を第２のゲイン値に設定し、  
前記第１のゲイン値と前記第２のゲイン値は異なることを特徴とする受信器。
【請求項２１】
請求項２０に記載の受信器であって、  
前記第２のゲイン値は前記第１のゲイン値より小さいことを特徴とする受信器。
【請求項２２】
請求項１９に記載の受信器であって、  
前記コンステレーションスペースはＭ−ＶＳＢ（残留側波帯）シンボルコンステレーションであることを特徴とする受信器。
【請求項２３】
請求項１９に記載の受信器であって、  
前記コンステレーションスペースはＭ−ＱＡＭ（直交位相振幅変調）シンボルコンステレーションであることを特徴とする受信器。
【請求項２４】
請求項１９に記載の受信器であって、  
前記領域の少なくとも１つは、前記コンステレーションスペースのコーナー領域であることを特徴とする受信器。
【請求項２５】
受信器であって、  
受信信号を処理するデコーダと、  
前記デコーダの動作モードを設定するのに使用する少なくとも１つのレジスタと、を有し、  
前記デコーダの少なくとも１つの動作モードは、イコライザのタップ係数値の調整に使用する係数ゲイン値を決定し、前記係数ゲイン値は、前記受信信号ポイントが入るコンステレーションスペースの領域の関数であることを特徴とする受信器。
【請求項２６】
請求項２５に記載の受信器であって、  
前記受信信号ポイントが外側領域にある場合、前記デコーダは前記係数ゲイン値を第１のゲイン値に設定し、  
前記受信信号ポイントが内側領域にある場合、前記コントローラは前記係数ゲイン値を第２のゲイン値に設定し、  
前記第１のゲイン値と前記第２のゲイン値は異なることを特徴とする受信器。
【請求項２７】
請求項２６に記載の受信器であって、  
前記第２のゲイン値は前記第１のゲイン値より小さいことを特徴とする受信器。
【請求項２８】
請求項２５に記載の受信器であって、  
前記コンステレーションスペースはＭ−ＶＳＢ（残留側波帯）シンボルコンステレーションであることを特徴とする受信器。
【請求項２９】
請求項２５に記載の受信器であって、  
前記コンステレーションスペースはＭ−ＱＡＭ（直交位相振幅変調）シンボルコンステレーションであることを特徴とする受信器。
【請求項３０】
請求項２５に記載の受信器であって、  
前記領域の少なくとも１つは、前記コンステレーションスペースのコーナー領域であることを特徴とする受信器。
【請求項３１】
受信器であって、  
受信信号を処理し、それから受信信号ポイントを求めるデコーダと、  
イコライザのタップ係数値の補正に使用する係数ゲイン値を決定し、前記係数ゲイン値は前記受信信号ポイントが入るコンステレーションスペースの領域の関数であるように前記デコーダを制御するプロセッサと、を有することを特徴とする受信器。
【請求項３２】
請求項３１に記載の受信器であって、
前記受信信号ポイントが外側領域にある場合、前記デコーダは前記係数ゲイン値を第１のゲイン値に設定し、  
前記受信信号ポイントが内側領域にある場合、前記コントローラは前記係数ゲイン値を第２のゲイン値に設定し、  
前記第１のゲイン値と前記第２のゲイン値は異なることを特徴とする受信器。
【請求項３３】
請求項３２に記載の受信器であって、  
前記第２のゲイン値は前記第１のゲイン値より小さいことを特徴とする受信器。
【請求項３４】
請求項３１に記載の受信器であって、  
前記コンステレーションスペースはＭ−ＶＳＢ（残留側波帯）シンボルコンステレーションであることを特徴とする受信器。
【請求項３５】
請求項３１に記載の受信器であって、  
前記コンステレーションスペースはＭ−ＱＡＭ（直交位相振幅変調）シンボルコンステレーションであることを特徴とする受信器。
【請求項３６】
請求項３１に記載の受信器であって、  
前記領域の少なくとも１つは、前記コンステレーションスペースのコーナー領域であることを特徴とする受信器。
【発明の詳細な説明】
【発明の背景】
【０００１】
本発明は、一般的に通信システムに関し、特に受信器に関する。
ＡＴＳＣ−ＤＴＶ（Ａｄｖａｎｃｅｄ  Ｔｅｌｅｖｉｓｉｏｎ  Ｓｙｓｔｅｍｓ  Ｃｏｍｍｉｔｔｅｅ−Ｄｉｇｉｔａｌ  Ｔｅｌｅｖｉｓｉｏｎ）システム等の新しいデジタル通信システム（例えば、米国Ａｄｖａｎｃｅｄ  Ｔｅｌｅｖｉｓｉｏｎ  Ｓｙｓｔｅｍｓ  Ｃｏｍｍｉｔｔｅｅの「ＡＴＳＣ  Ｄｉｇｉｔａｌ  Ｔｅｌｅｖｉｓｉｏｎ  Ｓｔａｎｄａｒｄ」（Ｄｏｃｕｍｅｎｔ  Ａ／５３，  Ｓｅｐｔｅｍｂｅｒ  １６，  １９９５）及び「Ｇｕｉｄｅ  ｔｏ  ｔｈｅ  Ｕｓｅ  ｏｆ  ｔｈｅ  ＡＴＳＣ  Ｄｉｇｉｔａｌ  Ｔｅｌｅｖｉｓｉｏｎ  Ｓｔａｎｄａｒｄ」（Ｄｏｃｕｍｅｎｔ  Ａ／５４，  Ｏｃｔｏｂｅｒ  ４，  １９９５）を参照）では、進んだ変調、チャネルコーディング、及び等価（ｅｑｕａｌｉｚａｔｉｏｎ）が通常使用されている。受信器では、イコライザが受信信号を処理して歪みを補正する。このイコライザは、一般的にはＤＦＥ（Ｄｅｃｉｓｉｏｎ  Ｆｅｅｄｂａｃｋ  Ｅｑｕａｌｉｚｅｒ）タイプまたはそのバリエーションである。
イコライザは幾つかのモードで動作する。例えば、トレーニングモード、ブラインドモード、及びディシジョンディレクテッドモード等である。各モードでは、イコライザのフィルタ（タップ）係数を適応させ、適応アルゴリズムにより更新する。イコライザ係数を適応させる適応アルゴリズムの例としては、最小二乗平均（ＬＭＳ）アルゴリズム、ＣＭＡ（Ｃｏｎｓｔａｎｔ  Ｍｏｄｕｌｕｓ  Ａｌｇｏｒｉｔｈｍ）、低減コンステレーションアルゴリズム（ＲＣＡ）等の本発明の技術分野で知られているものなどがある。
【発明の開示】
【発明が解決しようとする課題】
【０００２】
チャネルにある加法的ホワイトガウシアンノイズ等の雑音のタイプの統計的特性を考慮することにより、特に低信号対雑音比（ＳＮＲ）の環境において、イコライザの動作をさらに改良することができることを発見した。特に、本発明の原理によると、イコライザのタップ係数値を信号ポイントを受信したコンステレーションスペースの領域が中に含まれる関数として更新する。
【課題を解決するための手段】
【０００３】
本発明の一実施形態では、ＡＴＳＣ受信器は、イコライザとコントローラを有する。イコライザはコンステレーションスペースから一連の受信信号ポイントを提供し、そのコンステレーションスペースは内部領域と１つ以上の外部領域とを有する。コントローラは、イコライザのタップ係数値の補正に使用する係数ゲイン値を提供する。係数ゲイン値は、受信信号ポイントが入るコンステレーションスペースの領域の関数である。
【発明の詳細な説明】
【０００４】
本発明のコンセプト以外には、図示した要素は周知であり、詳細には説明しない。また、テレビジョン放送と受信器については知っているものと仮定し、ここで詳細には説明しない。例えば、本発明のコンセプト以外には、ＮＴＳＣ（Ｎａｔｉｏｎａｌ  Ｔｅｌｅｖｉｓｉｏｎ  Ｓｙｓｔｅｍｓ  Ｃｏｍｍｉｔｔｅｅ）、ＰＡＬ（Ｐｈａｓｅ  Ａｌｔｅｒｎａｔｉｏｎ  Ｌｉｎｅｓ）、ＳＥＣＡＭ（Ｓｅｑｕｅｎｔｉａｌ  Ｃｏｕｌｅｕｒ  Ａｖｅｃ  Ｍｅｍｏｉｒｅ）、及びＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）等のテレビ標準についての現行及び提案された勧告については知っているものと仮定する。同様に、本発明のコンセプト以外には、例えば８レベル残留側波帯（８−ＶＳＢ）、直交位相振幅変調（ＱＡＭ）等の伝送コンセプトや、例えば無線周波数（ＲＦ）フロントエンド等の受信器の構成要素や、例えば低ノイズブロック、チューナ、復調器、相関器、リークインテグレータ、方形器（ｓｑｕａｒｅｒｓ）等の受信器セクションについては仮定する。同様に、トランスポートビットストリームを生成するフォーマット及びエンコード方法（例えば、ＭＰＥＧ−２システム標準（ＩＳＯ／ＩＥＣ  １３８１８−１））は周知であり、ここでは説明しない。また、留意しておくべきことは、本発明のコンセプトは、従来のプログラミング方法を用いて実施することができることであり、ここでは説明しない。最後に、図面の同じ数字は同様の要素を表す。
【０００５】
加法的ホワイトガウシアンノイズ等（ＡＷＧＮ）伝送チャネルを仮定し、デジタル通信では、変調された受信信号は次のように表される：
【数１】
2007537666.tif 000003
ここで、Ｔはサンプル時間、ｓ（ｎＴ）は伝送されるシンボル、ｗ（ｎＴ）はチャネルの加法的ホワイトガウシアンノイズである。本発明の技術分野で知られているように、ガウシアン分布は次のように定義される：
【数２】
2007537666.tif 000004
ここで、σ２は分散であり、μは平均である。上記の表現は、Ｉ（同相）とＱ（直角位相）が統計的に独立である場合、ＩとＱの両方に適用される。
【０００６】
ここで、説明を簡単にするため、４つのシンボルＡ、Ｂ、Ｃ、及びＤを有するコンステレーションスペースから取ったシンボルを送信する送信器であって、各シンボルには値−３、−１、１、３がそれぞれ割り当てられている送信機を考える。この送信信号に対する異なるタイプのＡＷＧＮチャネルの効果を図１と２に示した。特に、これらの図は、異なるノイズパワー値（分散）に対する変調受信信号ｒ（ｎＴ）の結果として得られる確率分布関数（ｐｄｆ）を示す。
【０００７】
まず、図１を参照するが、この図は、ノイズパワーのσ２＝０．５の場合の、変調された受信信号の確率分布関数を示す。図１の短い垂直の実線は、ライン５１で表したように、受信器のスライス境界を示し、変調された受信信号ポイントを「スライス」し、それにより受信シンボルを決定する。本発明の技術分野で知られているように、受信器はスライス（「ハード復号」とも呼ぶ）を実行し、何のシンボルが実際に送信されたか選択する。一般的に、スライスにより、受信した信号ポイントに幾何学的に値が最も近いシンボルが受信シンボルとして選択される。図１の状況では、スライスは次のルールに従って実行される：
【数３】
2007537666.tif 000005
ここで、ｒは（ノイズによる影響も含めた）受信信号ポイントの値であり、Ｓｓｌｉｃｅｄは対応して選択されたシンボルである。例えば、受信信号ポイントの値が（−２．５）である場合、受信器はシンボルＡを受信シンボルとして選択する。図１から分かることは、ノイズパワーは重要ではなく、それゆえスライスされたデータはほぼ常に正しい、すなわち、ほぼ常に、実際に送信されたシンボルに一致することである。
【０００８】
しかし、図２は、より大きなノイズパワーの送信信号に対するインパクトを示す図である。特に、図２は、ノイズパワーのσ２＝３．０の場合の、変調された受信信号の確率分布関数を示す。また、図２は、ライン５１により表したようにスライス境界も示す。ここで、図から読み取るべきことは、ノイズパワーが十分大きいので、復調された受信信号ポイントが他のシンボルの決定領域に交差することである。この結果、受信器でスライスエラーが生じる。例えば、再度の仮定として、受信信号ポイントの値は（−２．５）であるとする。この場合、前と同様に、受信器はシンボルＡを受信シンボルとして選択する。しかし、この決定（ｓｌｉｃｅｄ  ｄｅｃｉｓｉｏｎ）は間違っている確率が高い。図２の矢印５２で示したように、影付けした領域は、シンボルＡではなくてシンボルＢが送信された確率が高いので、受信器がスライスエラーを起こす可能性があることを示す。このスライスエラーまたは決定エラーにより、通信リンクの信頼性は下がり、場合によっては、通信リンクが切れる。
【０００９】
チャネルにある加法的ホワイトガウシアンノイズ等の雑音のタイプの統計的特性を考慮することにより、特に低信号対雑音比（ＳＮＲ）の環境において、イコライザの動作をさらに改良することができることを発見した。特に、図２から分かったことは、復調された受信信号ポイントは２つ以上のスライス境界に交差することはありそうもないということである。例えば、送信されたシンボルＡは、ノイズの影響を受けていたとしても、受信器によりシンボルＣまたはシンボルＤと間違って解釈されることは、ありそうもない。このように、さらに分かったことは、コンステレーションスペースの外側領域の方がコンステレーションスペースの内側領域よりも、受信器が間違う可能性は少ないことである。例えば、図２のシンボルＡの決定領域では、受信器は、シンボルＢが実際に送信された確率があっても、シンボルＡを受信したと決定する。反対に、内側シンボルＣの決定領域を考える。ここで、受信器は、シンボルＣを受信するが、他の２つのシンボルＢまたはＤも送信されていると決定する。このように、図２の状況では、受信器は外側シンボル領域、すなわち、ｒ＜−３及びｒ＞３の領域では間違っている可能性が低い。
【００１０】
上記を考慮して、イコライザタップ係数値の更新プロセスにおいて、受信器が間違いにくい領域または部分を利用することができる。それゆえ、本発明の原理によると、イコライザのタップ係数値を、信号ポイントを受信したコンステレーションスペースの領域が中に含まれる関数として更新する。
【００１１】
本発明の原理による、テレビジョンセット例１０のハイレベルブロック図を図３に示す。テレビジョン（ＴＶ）セット１０は、受信器１５とディスプレイ２０を含む。例示したように、受信器１５はＡＴＳＣ互換受信器である。留意すべきことは、受信器１５はＮＴＳＣ（Ｎａｔｉｏｎａｌ  Ｔｅｌｅｖｉｓｉｏｎ  Ｓｙｓｔｅｍｓ  Ｃｏｍｍｉｔｔｅｅ）互換でもある。すなわち、ＮＴＳＣ動作モードとＡＴＳＣ動作モードを有し、テレビセット１０はＮＴＳＣ放送またはＡＴＳＣ放送のビデオコンテントを表示することができる。本発明のコンセプトを説明しやすくするために、ここではＡＴＳＣ動作モードだけを説明する。受信器１５は、（例えば、アンテナ（図示せず）を介して）放送信号１１を受信して、その信号から例えばＨＤＴＶ（高精細度テレビ）ビデオ信号を回復して、そのビデオコンテントをみるためにディスプレイ２０に出力する。
【００１２】
ここで、図４を参照して、本発明の原理による受信器１５の一部２００の実施例を示す。部分２００は、アンテナ２０１、無線周波数（ＲＦ）フロントエンド２０５、アナログ・デジタル（Ａ／Ｄ）コンバータ２１０、副長期２１５、イコライザ２２０、スライサ２２５、イコライザモードエレメント２３０、及びエラージェネレータ２３５を有する。本発明のコンセプト以外には、図４に示したいろいろな要素の機能は周知であり、ここでは簡単に説明するだけに留める。さらに、イコライザ２２０のイコライザ係数（図示せず）を適応させるアルゴリズムである、例えば、最小二乗平均（ＬＭＳ）アルゴリズム、ＣＭＡ（Ｃｏｎｓｔａｎｔ  Ｍｏｄｕｌｕｓ  Ａｌｇｏｒｉｔｈｍ）、低減コンステレーションアルゴリズム（ＲＣＡ）等は本発明の技術分野で知られており、ここでは説明しない。
【００１３】
ＲＦフロントエンド２０５は、アンテナ２０１を介して受信した信号をダウンコンバートし、フィルタして、ベースバンドに近い信号をＡ／Ｄコンバータ２１０に供給する。Ａ／Ｄコンバータ２１０は、ダウンコンバートされた信号をサンプリングして、デジタル領域に変換し、サンプルのシーケンス２１１を復調器２１５に供給する。後者は、自動ゲイン制御（ＡＧＣ）、シンボルタイミング回復（ＳＴＲ）、キャリアトラッキングループ（ＣＴＬ）、本発明の技術分野で知られたその他の機能ブロックを有し、信号２１１を復調して、復調信号２１６をイコライザ２２０に供給する。この信号２１６は、コンステレーションスペース中の信号ポイントのシーケンスを表す。イコライザ２２０は、復調信号２１１を処理して、シンボル間干渉（ＩＳＩ）等の歪みを補正し、等価した信号２２１をスライサ２２５、イコライザモードエレメント２３０、及びエラージェネレータ２３５に供給する。スライサ２２５は、（コンステレーションスペース中の信号ポイントのシーケンスを表す）等価信号２２１を受け取り、受信シンボルに関して（上で説明したように）ハードディシジョンをして、シンボルレート１／Ｔで、信号２２６を介して、スライスされたシンボルのシーケンスを供給する。信号２２６の処理は、受信器１５の他の部分（図示せず）、例えば順エラー訂正（ＦＥＣ）エレメントによりなされるが、図４に示したイコライザモードエレメント２３０とエラージェネレータ２３５によってもなされる。本発明の技術分野では知られているように、エラージェネレータ２３５は、例えば、復調器２１５のタイミングの曖昧さの訂正や、イコライザ２２０のフィルタ（タップ）係数値の適応、または調節に使用する１つ以上のエラー信号２３６を生成する。例えば、場合によっては、エラージェネレータ２３５は等価された信号ポイントとそれぞれのスライスされたシンボルの間の差異すなわちエラーを測って、イコライザ２２０のフィルタ係数を合わせるのに使用する。エラージェネレータ２３５と同様に、イコライザモードエレメント２３０も等価された信号ポイントとそれぞれのスライスされたシンボルをそれぞれ信号２２１と信号２２６を介して受け取る。イコライザモードエレメント２３０は、これらの信号を使用して、イコライザモードを決定する。イコライザモードは、モード信号２３１により制御される。イコライザ２２０は、（ＣＭＡまたはＲＣＡアルゴリズムを用いて）ブラインドモードで動作することもできるし、本発明の技術分野で知られているようにディシジョンディレクテッドモード（ＬＭＳアルゴリズム）で動作することもできる。
【００１４】
また、本発明の原理により、イコライザモードエレメント２３０（ここではコントローラ２３０とも呼ぶ）はイコライザ２２０にゲイン（Ｇ）信号２３２を供給する。ゲイン信号２３２は、イコライザ２２０に使用され、更新アルゴリズム（例えば、上記のＬＭＳ、ＣＭＡ、またはＲＣＡアルゴリズム）により決定されるタップ係数値を、受信信号ポイントが入るコンステレーションスペースの関数として、さらに調整する。説明を簡単にするために、以下の説明は１次元及び２次元のシンボルコンステレーションに限定される。しかし、本発明のコンセプトは、これに限定されず、より高次元のコンステレーションに容易に拡張することができる。
【００１５】
図５は、本発明の原理によるフローチャート例を示す図である。図５のフローチャートは、例えば、イコライザモードエレメント２３０とイコライザ２２０により実行される。ここで、図７も参照する。図７は、本発明の技術分野において知られた１次元Ｍ−ＶＳＢシンボルコンステレーションに関する本発明のコンセプトの動作を例示するものである。ここで、Ｍ＝８である。特に、図７は、低ＳＮＲ環境におけるイコライザ出力信号２２１のグラフを示す。図７から分かるように、点線の矢印３５６と３５７で示したように、コンステレーションの２つの外側領域を画成する。特に、コンステレーションスペースの１つ以上の外側領域の境界が、値「ｏｕｔ＿ｔｈｒｅｓｈｏｌｄ」により示されている。８−ＶＳＢシステムコンステレーションの場合、正の「ｏｕｔ＿ｔｈｒｅｓｈｏｌｄ」があり、点線の矢印３５６で表されており、例えばその値は７．０である。また、負の「ｏｕｔ＿ｔｈｒｅｓｈｏｌｄ」があり、点線の矢印３５７で表されており、例えばその値は（−７．０）である。このように、「ｏｕｔ＿ｔｈｒｅｓｈｏｌｄ」の大きさは７．０である。留意すべきことは、本発明のコンセプトを対照的な値の場合について例示したが、本発明はこれに限定されないということである。上記の通り、「ｏｕｔ＿ｔｈｒｅｓｈｏｌｄ」の値はコンステレーションスペースの１つ以上の外側領域の初めを表す。図７に示した８−ＶＳＢコンステレーションスペースの外側領域は、点線の矢印３７２と３７３の方向により示されている。このように、大きさが「ｏｕｔ＿ｔｈｒｅｓｈｏｌｄ」以上の受信信号ポイントは、外側の受信信号ポイントであると考えられる。
【００１６】
【数４】
2007537666.tif 000006
ここで、Ｅｑ＿ｏｕｔｎは、時間ｎにおいてイコライザ出力信号２２１により与えられる受信信号ポイントを表す。
【００１７】
図５に戻り、ステップ３０５において、イコライザモードエレメント２３０は、図４のゲイン（Ｇ）信号２３２の値を、受信信号ポイントＥｑ＿ｏｕｔｎが（以下にさらに説明するように）入るコンステレーションスペースの領域の関数として計算する。上記のように、図７の場合、８−ＶＳＢコンステレーションスペースの外側領域は、点線の矢印３７２と３７３の方向により示されている。また、留意すべきことは、本発明のコンセプトを単一の受信信号ポイントに関して説明したが、本発明のコンセプトはこれに限定されず、２つ以上の受信信号ポイントを使用することもできる。例えば、いくつかの受信信号ポイントを平均して、受信信号ポイントの平均値を使用して領域を決定することができる。図５のステップ３１０において、イコライザ２２０は、イコライザモードエレメント２３０により供給されるゲイン（Ｇ）信号２３２の値を用いて、タップ係数値を更新する。例えば、ＬＭＳアルゴリズムの場合、イコライザ２２０は以下の式によりそのタップ係数を更新する：
【数５】
2007537666.tif 000007
ここで、
［外１］
2007537666.tif 000008
は時刻ｎ＋１における更新されたフィルタ係数ベクトルであり、
［外２］
2007537666.tif 000009
は時刻ｎにおけるフィルタ係数ベクトルであり、ηは本発明の技術分野において知られているステップサイズ値であり、Ｇは本発明の原理によるゲイン信号２３２の値であり、εは（ブラインドモードまたはディシジョンディレクテッドモードにおける）エラー信号２３６を表し、
［外３］
2007537666.tif 000010
は時刻ｎにおける（信号２１６を表す）フィルタ入力ベクトルである。
【００１８】
ここで、図６を参照して、図５のステップ３０５で使用する、イコライザモードエレメント２３０で使用する、より詳細なフローチャートを示す。ステップ３５０において、イコライザモードエレメント２３０は信号ポイントｙを受け取る。ｙの値は、図４のイコライザ出力信号２２１（上ではＥｑ＿ｏｕｔｎとも呼んでいる）を表す。ステップ３５５において、ｙの絶対値ａｂｓ（ｙ）を「ｏｕｔ＿ｔｈｒｅｓｈｏｌｄ」の大きさと比較して、受信信号ポイントがコンステレーションスペースの外側領域にあるかどうか判断する。受信信号ポイントがコンステレーションスペースの外側領域にない場合、ステップ３６０において、ゲイン信号２３２の値をｋと等しく設定する。すなわち、Ｇ＝ｋである。しかし、受信信号ポイントがコンステレーションスペースの外側領域にある場合、ステップ３６５において、ゲイン信号２３２の値をＫと等しく設定する。すなわち、Ｇ＝Ｋである。この実施例では、ｋ＜Ｋである。言い換えると、受信信号ポイントがコンステレーションスペースの内側領域に入る場合、ゲイン信号２３２を小さい値に設定し、一方、受信信号ポイントがコンステレーションスペースの外側領域に入る場合、ゲイン信号２３２を大きい値に設定する。例えば、この例では、ゲイン信号の値は：ｋ＝０、Ｋ＝１である。しかし、本発明のコンセプトはこれに限定されない。むしろ、本発明の原理によれば、ゲイン信号はコンステレーションスペース中の受信信号ポイント位置の関数である。例えば、コンステレーションスペースは、異なるいくつかの（例えば、３より多い）領域に分割して、各領域がそれに関連したゲイン信号値を有するようにすることができる。この場合、異なる領域に関連するゲイン信号値は、すべてが異なる必要はない。また、留意すべきことは、ゲイン信号の値、例えばｋとＫは、「ｏｕｔ＿ｔｈｒｅｓｈｏｌｄ」の値と併せてプログラム可能であることである。
【００１９】
さらに、本発明のコンセプトの例を図８と９に示した。これらの数字は、本発明の技術分野で知られているように、２次元Ｍ−ＱＡＭ（直交位相振幅変調）シンボルコンステレーションの場合の、高ＳＮＲ環境におけるイコライザ出力信号２２１のグラフを示す（ここで、Ｍ＝１６である）：
【数６】
2007537666.tif 000011
ここで、Ｅｑ＿ｏｕｔｎは前に説明したｒ（ｎＴ）に対応し、時刻ｎにおいけるイコライザ２２０の出力信号２２１であり、Ｉは同位相成分であり、Ｑは直交位相成分である。説明を分かりやすくするため、同位相（Ｉ）と直交位相（Ｑ）の軸は図示していない。図８と９の場合、いくつかのアプローチが可能である。例えば、図５と６の上で説明したフローチャートでは、受信信号ポイントの（Ｉ）と（Ｑ）成分を個別にカウントすることができる。図８と９から分かることは、コンステレーションスペースの「ｏｕｔ＿ｔｈｒｅｓｈｏｌｄ」を各次元について（例えば、３７２−Ｉ、３７３−Ｉ、３７２−Ｑ、３７３−Ｑ等）定義し、例えば、次式が成り立つ場合、受信信号ポイントは外側受信信号ポイントである。
【００２０】
【数７】
2007537666.tif 000012
図７に示したように、コンステレーションスペースの外側領域は、両方の図８と９において矢印３７２と３７３の方向である。図８で留意すべきことは、コンステレーションスペースの外側領域は四角形３７９の外側の領域であり、一方、図９では、コンステレーションスペースの外側領域は４つのコーナー領域として画成される。次式が成り立つ場合、受信信号ポイントはコーナー領域にある：
【数８】
2007537666.tif 000013
しかし、本発明のコンセプトはこれに限定されず、外側領域が他の形状であってもよい。また、留意すべきことは、コーナー領域の場合、ｏｕｔ＿ｔｈｒｅｓｈの値は外側データシンボルの１つの値と等しくなければならない。これらの外側（すなわちコーナー）シンボルからのずれはノイズであると考えられるからである。
【００２１】
本発明のコンセプトの他の実施例を図１０に示す。この実施例では、受信器（図示せず）に使用する集積回路（ＩＣ）６０５は、イコライザモードエレメント６２０と少なくとも１つのレジスタ６１０を含む。この少なくとも１つのレジスタ６１０はバス６５１に結合している。例えば、ＩＣ６０５は、集積アナログ／デジタルテレビジョンデコーダである。しかし、ＩＣ６０５の本発明のコンセプトに関係する部分のみを示した。例えば、アナログ−デジタルコンバータ、フィルタ、デコーダ等は、図示を容易にするため示していない。バス６５１は、プロセッサ６５０により表されている受信器の他の構成要素との間の通信を提供する。レジスタ６１０は、ＩＣ６０５の１つ以上のレジスタを表す。ここで、各レジスタは、ビット６０９で表した１つ以上のビットを有する。ＩＣ６０５のレジスタまたはその一部は、読み出し専用でも、書き込み専用でも、読み書き可能であってもよい。本発明の原理によると、イコライザモードエレメント６２０は、上記の係数ゲイン制御または動作モードを含み、レジスタ６１０の少なくとも１ビット（例えばビット６０９）は、この動作モードをイネーブル（ｅｎａｂｌｅ）またはディスエーブル（ｄｉｓａｂｌｅ）するために、例えばプロセッサ６５０により設定できるプログラマブルビットである。図１０の場合、ＩＣ６０５は、処理するＩＦ信号６０１を、そのＩＣ６０５の入力ピンすなわちリードを介して受け取る。この信号の派生信号６０２は、上記の通り（例えば図６参照）、イコライザ（図示せず）のタップ係数値をさらに調整するために、イコライザモードエレメント６２０に入力される。典型的には、イコライザ（図示せず）はＩＣ６０５の一部であるが、必ずしもそうである必要はない。イコライザモードエレメント６２０は信号６２１を供給する。この信号６２１は、上記のゲイン信号２３２を表している。図１０には示していないが、信号６２１はＩＣ６０５の外部回路に供給されてもよいし、レジスタ６１０を介してアクセス可能であってもよい。イコライザモードエレメント６２０は、内部バス６１１を介してレジスタ６１０と結合している。この内部バス６１１は、他の信号経路を表し、（例えば、上記のインテグレータとカウンタ値を読むため）本発明の技術分野で知られているようにロックディテクタ６２０をレジスタ６１０とインターフェイスする、ＩＣ６０５の構成要素である。ＩＣ６０５は、信号６０６により表されたように、例えばコンポジットビデオ信号である１つ以上の回復された信号を供給する。留意すべきことは、本発明の原理により、ＩＣ６０５の他のバリエーションが可能だということである。例えば、この動作モードの外部制御（例えばビット６１０を介したもの）は必要なく、ＩＣ６０５は、受信信号ポイントが入るコンステレーションスペースの領域の関数として、上記のゲイン調整を常に実行してもよい。
【００２２】
上記を考慮して、前記は単に本発明の原理を例示するものであり、言うまでもなく当業者は、ここに明示的に説明はしていないが、本発明の原理を化体し、その精神と範囲に入る多数の別の構成を工夫することができる。例えば、分離した機能要素の場合で例示したが、これらの機能要素を１つ以上の集積回路（ＩＣ）に化体してもよい。同様に、分離した要素として示したが、これらの要素の一部または全部をストアードプログラム制御のプロセッサ（例えば、デジタルシグナルプロセッサ）で実施してもよい。かかるプロセッサは、例えば、図５及び／または６等に示した１つ以上のステップに対応する関連ソフトウェアを実行する。さらに、ＴＶセット１０内に組み込まれた要素として示したが、これらの要素は異なるユニットのいかなる組み合わせに分散していてもよい。例えば、図３のレシーバ１５は、ディスプレイ２０を組み込んだ装置（あるいはボックス）等とは物理的に分離したセットトップボックス等の装置（あるいはボックス）の一部であってもよい。また、留意すべきことは、地上波放送の場合で説明したが、本発明の原理を他のタイプの通信システム（例えば衛星、ケーブル等）に適用することもできる。よって、言うまでもなく、添付した特許請求の範囲に記載した本発明の精神と範囲から逸脱することなく、例示した実施形態に多数の修正を加えてもよく、他の構成を工夫してもよい。  
【図面の簡単な説明】
【００２３】
【図１】異なるレベルのノイズパワーに対して受信信号の確率分布を示す図である。
【図２】異なるレベルのノイズパワーに対して受信信号の確率分布を示す図である。
【図３】本発明の原理を化体する受信器を示すハイレベルのブロック図である。
【図４】本発明の原理を化体する受信器の一部を示す図である。
【図５】は、本発明の原理によるフローチャート例を示す図である。
【図６】は、本発明の原理によるフローチャート例を示す図である。
【図７】１次元シンボルコンステレーションの場合における本発明のコンセプトをさらに示す図である。
【図８】２次元シンボルコンステレーションの場合における本発明のコンセプトをさらに示す図である。
【図９】２次元シンボルコンステレーションの場合における本発明のコンセプトをさらに示す図である。
【図１０】本発明の原理による他の実施形態例を示す図である。
【図１】
2007537666.tif 000014
【図２】
2007537666.tif 000015
【図３】
2007537666.tif 000016
【図４】
2007537666.tif 000017
【図５】
2007537666.tif 000018
【図６】
2007537666.tif 000019
【図７】
2007537666.tif 000020
【図８】
2007537666.tif 000021
【図９】
2007537666.tif 000022
【図１０】
2007537666.tif 000023
【国際調査報告】
2007537666.tif 000024
2007537666.tif 000025
2007537666.tif 000026